(57)【特許請求の範囲】
【請求項１】
消費電力の大きい主制御部およびフィルム画像を読み取るスキャナ部を備えて前記主制御部によって制御されるように構成された主機と、
消費電力のより小さい副制御部、フィルム画像を感光材料に焼き付ける焼付部、および感光材料の現像処理を行う現像部を備えて前記副制御部によって制御されるように構成された補機と、
が電気的に接続され、
営業時間中の通常運転モードと非営業時間中の節電運転モードを持つ写真処理装置の省電力制御方法において、
通常運転モードから節電運転モードへ移行するときは、主制御部から副制御部へタイマー制御開始信号を送出するとともに、主機の電源を切り、副制御部が前記タイマー制御開始信号を受信すると予め設定されたタイマー条件に基づいたタイマー制御をスタートするとともに副制御部を除いて前記現像部の他の各電気機器の電源を切って節電運転し、
副制御部におけるタイマー制御がタイムアップすると、前記現像部の各電気機器の電源を入れて、営業時間までに前記現像部の薬液タンクの温度調節を完了させる温度制御をスタートするように制御することを特徴とする写真処理装置の省電力制御方法。
【請求項２】
副制御部におけるタイマー制御がタイムアップし、更に、復帰スイッチが操作されたときには、主機の電源を入れるように制御することを特徴とする請求項１に記載の写真処理装置の省電力制御方法。
【請求項３】
消費電力の大きい主制御部およびフィルム画像を読み取るスキャナ部を備えて前記主制御部によって制御されるように構成された主機と、
消費電力のより小さい副制御部、フィルム画像を感光材料に焼き付ける焼付部、および感光材料の現像処理を行う現像部を備えて前記主制御部によって制御されるように構成された補機と、
が電気的に接続され、
営業時間中の通常運転モードと、非営業時間中の節電運転モードとを持つ写真処理装置の省電力制御装置において、
主機の電源を切るとともに、副制御部においては予め設定されたタイマー条件に基づいたタイマー制御をスタートさせるとともに副制御部を除いた前記現像部の他の各電気機器の電源を切って節電運転モードへ移行させる節電移行手段を備え、
前記副制御部は、タイマー制御がタイムアップすると、前記現像部の各電気機器の電源を入れて、営業時間までに前記現像部の薬液タンクの温度調節を完了させる温度制御をスタートするように制御するように構成されていることを特徴とする写真処理装置の省電力制御装置。
【請求項４】
前記タイマー制御がタイムアップした後に通常運転モードへ移行させるとともに前記主制御部の電源を入れる復帰手段を備えたことを特徴とする請求項３に記載の写真処理装置の省電力制御装置。
【発明の詳細な説明】
【０００１】
【発明の属する技術分野】
本発明は、通常運転モードと節電運転モードの二通りの運転モードを持つ電気機器の消費電力の抑制及び騒音の抑制技術に関するものである。
【０００２】
【従来の技術】
いわゆるミニラボといわれている写真処理機器は、主制御部を備えた主機と、現像処理部や焼き付け処理部等の補機とから構成されている。各補機にはそれぞれの内蔵機器を制御するための副制御部が備えられ、これらの副制御部は前記主制御部と電気的に接続されている。
そして、夜間等のような節電運転中においては、主機を始め各補機の各電気機器は運転が停止され消費電力が抑制されている。そして、各補機の副制御部も運転が停止されている。
一方、主制御部は、運転停止されずに、所定の時間の経過後もしくは所定の時刻、一般的には翌朝の営業開始時刻までに各補機を通常運転状態に移行させておくためのタイマー機能が作動している。
【０００３】
【発明が解決しようとする課題】
しかし、このような節電運転中における主制御部は、消費電力も大きいために発熱量も多く、そのために主制御部用の電源等の冷却ファンも運転する必要があるため、節電運転中であっても、消費電力が余り小さくならないとともに、騒音が大きいという問題があった。
特に、節電運転が行われるので静かな夜間であることが多いため、冷却ファンの運転音は目立ちやすい騒音となっていた。
【０００４】
そこで、本発明は、節電運転中における消費電力をさらにより小さくするとともに、冷却ファンの運転を不要とすることを目的としてなされたものである。
【０００５】
【課題を解決するための手段】
本発明の請求項１の方法の発明は、
消費電力の大きい主制御部およびフィルム画像を読み取るスキャナ部を備えて前記主制御部によって制御されるように構成された主機と、
消費電力のより小さい副制御部、フィルム画像を感光材料に焼き付ける焼付部、および感光材料の現像処理を行う現像部を備えて前記副制御によって制御されるように構成された補機と、
が電気的に接続され、
営業時間中の通常運転モードと、非営業時間中の節電運転モードを持つ写真処理装置の省電力制御方法において、
通常運転モードから節電運転モードへ移行するときは、主制御部から副制御部へタイマー制御開始信号を送出するとともに、主機の電源を切り、副制御部が前記タイマー制御開始信号を受信すると予め設定されたタイマー条件に基づいたタイマー制御をスタートするとともに副制御部を除いて前記現像部の他の各電気機器の電源を切って節電運転し、
副制御部におけるタイマー制御がタイムアップすると、前記現像部の各電気機器の電源を入れて、営業時間までに前記現像部の薬液タンクの温度調節を完了させる温度制御をスタートするように制御することを特徴としたものである。
請求項２の方法の発明では、
副制御部におけるタイマー制御がタイムアップし、更に、復帰スイッチが操作されたときには、主機の電源を入れるように制御する。
【０００６】
本発明の請求項３の装置の発明は、
消費電力の大きい主制御部およびフィルム画像を読み取るスキャナ部を備えて前記主制御部によって制御されるように構成された主機と、
消費電力のより小さい副制御部、フィルム画像を感光材料に焼き付ける焼付部、および感光材料の現像処理を行う現像部を備えて前記主制御部によって制御されるように構成された補機と、
が電気的に接続され、
営業時間中の通常運転モードと、非営業時間中の節電運転モードとを持つ写真処理装置の省電力制御装置において、
主機の電源を切るとともに、副制御部においては予め設定されたタイマー条件に基づいたタイマー制御をスタートさせるとともに副制御部を除いた前記現像部の他の各電気機器の電源を切って節電運転モードへ移行させる節電移行手段を備え、
前記副制御部は、タイマー制御がタイムアップすると、前記現像部の各電気機器の電源を入れて、営業時間までに前記現像部の薬液タンクの温度調節を完了させる温度制御をスタートするように制御するように構成されていることを特徴としている。
請求項４の装置の発明は、
前記タイマー制御がタイムアップした後に通常運転モードへ移行させるとともに前記主制御部の電源を入れる復帰手段を備えている。
【０００７】
【発明の実施の形態】
以下に、本発明にかかる電気機器システムの省電力制御方法と装置を、その実施の形態としての写真処理装置を示した図面に基づいて詳細に説明する。
【０００８】
図１において、
１は写真処理装置であり、この写真処理装置１は、入力部２、焼付部３、及び現像部４を備えている。
前記入力部２は、フィルム画像を読み取るスキャナ部２１と、マイクロコンピュータを内蔵した主制御部２２と、電源制御部２３とを備えている。
前記焼付部３は、フィルム画像を感光材料に焼き付ける。
前記現像部４は、感光材料の現像処理を行うための複数の薬液タンクＴ１，Ｔ２，・・・・と、それぞれのタンクの温度調節手段Ｈ１，Ｈ２，・・・・と、当該現像部４の各電気機器を制御するためのマイコン内蔵の副制御部４１とを備えている。なお、この副制御部４１は当該現像部４以外への電源の供給を制御するメインリレー回路４２と、リアルタイムクロックモジュール（ＲＴＣ）を内蔵したタイマー回路４３を備えている。
【０００９】
この写真処理装置１は、昼間の営業時間中は通常運転モードで運転され、夜間等の非営業時間中は節電運転モードで運転される。
通常運転モードにおいては、全ての電気機器の電源がオンされており、処理すべきネガフィルムがセットされる度に所定の写真処理が開始されるように構成されている。
節電運転モードにおいては、副制御部４２以外の電源はオフされており、前記副制御部４２のタイマー回路４３のみが作動しているように構成されている。そして、前記タイマー回路４３が設定された所定の時刻（一般的には翌朝の営業開始の所定時間前）にタイムアップすると、前記現像部４の各温度調節手段Ｈ１，Ｈ２，・・・が作動開始して、各薬液タンクＴ１，Ｔ２，・・・の薬液の温度を営業時間までに所定の温度に設定して待機するように構成されている。
【００１０】
２２１は、前記主制御部２２の電源をオンオフ制御するための半導体リレーである。
前記電源制御部２３は、通常運転モードもしくは節電運転モードへの移行を指示するための運転指示スイッチ２３１と、前記半導体リレー２２１への制御信号を出力する半導体リレー制御回路２３２と、前記主制御部２２をソフトウエア的に電源オフするシャットダウン信号を出力するシャットダウン制御回路２３３とを備えている。
前記運転指示スイッチ２３１が、通常運転モード側へ操作されると、前記半導体リレーへの制御信号は強制的にオン状態に制御される。
【００１１】
前記主制御部２２は、前記シャットダウン信号が無ければ前記半導体リレー２２１がオンされると自動的に立ち上がる。
【００１２】
なお、請求項２に記載された復帰スイッチは運転指示スイッチ２３１に対応し、請求項３の節電移行手段は前記主制御部２２と電源制御部２３とメインリレー回路４２とシャットダウン制御回路２３３とに対応し、タイマー手段はタイマー回路４３に対応し、請求項４の復帰手段は前記主制御部２２と電源制御部２３とメインリレー回路４２に対応している。従って、省電力制御装置は前記主制御部２２と電源制御部２３とメインリレー回路４２とシャットダウン制御回路２３３とタイマー回路４３に対応している。
【００１３】
以上の回路構成の写真処理装置１において、通常運転モードから節電運転モードに移行する場合の制御を、図２のフローチャートに沿って説明する。
まず、ステップ１においては、前記主制御部２２において、薬液タンクの温度調節制御を開始すべき時刻等のタイマー設定データが生成されて、現像部４の副制御部４１へ送出される。焼付部３及び現像部４からの確認信号が入力されて一定時間後に、ステップ２において、電源制御部２３のシャットダウン制御回路２３３からシャットダウン信号が出力され、主制御部２２の処理プログラムは終了されて、ソフトウエア処理により主制御部２２の内部電源がオフされる。さらに、所定時間後に半導体リレー制御回路２３２からの制御信号によって半導体リレー２２１がオフされる。
【００１４】
ステップ３において、前記副制御部４１では、タイマー設定データを受け取ると、一定時間後に、メインリレー回路４２によって現像部４以外の電源をオンオフするメインリレー接点ーＸ１が開いて、入力部２及び焼付部３の電源はオフされる。
また、前記副制御部４１は現像部４の温度調節手段Ｈ１，Ｈ２，・・・等の電源をオフする。
そして、ステップ４において、副制御部４１は受け取ったタイマー設定データをタイマー回路４３に設定するとともに、タイマー機能をスタートさせる。
従って、副制御部４１とそこに内蔵されているタイマー回路４３のみの電源はオンされているが、主制御部２２をはじめ他の電気機器の電源は全てオフされ、節電運転モードへの移行が完了する。
【００１５】
このような節電運転モードにおいては、当該写真処理装置１のパネル面に配設された状態表示灯の内の緑色ＬＥＤが遅い周期で点滅し、節電運転モードであってタイマーが作動中であることを確認できるように構成されている。
そして、タイマー設定データによって設定された時刻になると、ステップ５において、前記タイマー回路４３がタイムアップするので、このタイムアップによって副制御部４２は、温度調節手段Ｔ１，Ｔ２，・・・の電源をオンして、各薬液タンクＴ１，Ｔ２，・・・の温度制御をスタートする。このとき、前記緑色ＬＥＤの点滅周期は早くなる。
【００１６】
そして、各薬液タンクＴ１，Ｔ２，・・・の温度が所定の温度に到達して温度制御が完了すると、ステップ６において、前記緑色ＬＥＤは連続点灯され、現像部４の準備が完了したことを確認できるように構成されている。このとき、タンク冷却用のファンも動作させないことにより、静音化が図れる。
ステップ７において、当該装置のオペレータが前記運転指示スイッチ２３１を通常運転モード側にオンするまで節電運転モードで待機しておき、通常運転モード側にオンされると、現像部４以外の電源がオンされて通常運転モードに移行する。
なお、現像部４以外の電源をオンするタイミングは、前記タイマー回路４３がタイムアップした時点でもよいが、より省エネルギー運転をするために現像部４における温度調節が完了した後としてもよい。
また、温度調節の途中で何らかのエラーが検出されると、状態表示灯の赤色ＬＥＤが点灯して、トラブルの発生を確認できるように構成されている。
【００１７】
所定の時刻に副制御部４２からメインリレー回路４２が制御されるか、前記運転指示スイッチ２３１がオンされると、メインリレー接点Ｘ１がオンされて、入力部２のスキャナ部２１や電源制御部２３の電源、及び焼付部３の電源等全ての電源がオンされるとともに、前記半導体リレー制御回路２３２によって半導体リレー２２１がオンされる。このとき、シャットダウン制御回路２３３からはシャットダウン信号が出力されていないので、主制御部２２は自動的に立ち上がって、始業点検等の作業を行うことが可能になり、通常運転モードに移行する。
【００１８】
以上の構成によれば、節電運転モードにおいては、電源がオンになっていて作動しているのは現像部４の副制御部４１だけであって、他の電気機器は当然のこと主制御部２２の電源もオフされている。
従って、主制御部２２の冷却ファンも停止しているので、消費電力が少ないだけでなく、節電運転中の騒音も極めて小さいものとなっている。
【００１９】
以上の説明においては、現像部４における温度制御が完了した後の所定の時刻に副制御部４２からメインリレー回路４２が制御されるか、前記運転指示スイッチ２３１がオンされることによって、入力部２及び焼付部３の電源等全ての電源がオンされるように構成したが、温度制御の途中でも、節電運転モードの途中であっても、運転指示スイッチ２３１を操作することによって、随時当該写真処理装置１の始業点検等の作業を行えるようにしてもよい。
例えば、前記現像部４における温度調節が行われている途中であっても、運転指示スイッチ２３１を操作することによって前記入力部２、焼付部３の電源がオンされるように構成してもよい。
さらには、節電運転モードの途中であっても、運転指示スイッチ２３１を操作することによって前記現像部４の電源がオンされて温度制御がスタートするとともに、前記入力部２、焼付部３の電源もオンされるように構成してもよい。
【００２０】
なお、本発明によれば、補機側でタイマー制御が可能となるように、ＲＴＣ（リアルタイムクロックモジュール）を内蔵したタイマー回路を補機側にも内蔵したので、主機側の電源を切ってタイマー制御が可能になったのである。前記主制御部としては、ソフトエウア処理によって電源を切ることのできる電源装置（所謂ＡＴＸ仕様の電源装置）を使用するとともに、電源がオンされると自動的に立ち上がる機能を備えたパーソナルコンピュータを利用することができる。
【００２１】
【発明の効果】
本発明の請求項１の省電力制御方法では、節電運転モードにおけるタイマー制御を、より消費電力の小さい副制御部で行うようにしたので、節電運転中の消費電力を従来よりさらに小さくできるとともに、消費電力の大きな主制御部の冷却ファンを回す必要もなく、従来よりさらに騒音を小さくできるという効果が得られる。
そして、請求項２の省電力制御方法では、タイムアップ後の所定時間経過後に、副制御部から主機の電源を入れる構成としたので、タイムアップ後に主機を自動的に運転開始することが可能となった。
【００２２】
そして、請求項３の省電力制御装置では、節電移行手段によって、当該電気機器システムを通常運転モードから節電運転モードへ移行させて各電源を切るように構成されているので、節電運転モードでは、消費電力の大きな主制御部の電源も切られており、従来よりさらに省電力運転が可能となった。
そして、請求項４では、電源復帰手段によって、タイマー手段においてタイムアップした後に自動的に各電源を入れるように構成されているので、タイムアップ後に自動的に主機の運転を再開することができる。
【図面の簡単な説明】
【図１】本発明の実施の形態を示した写真処理装置の要部の構成図である。
【図２】前記写真処理装置の制御手順を示すフローチャートである。
【符号の説明】
１ 写真処理装置
２ 主機、入力部
３ 主機、焼付部
２２ 主制御部
２３ 電源制御部
４ 補機、現像部
４１ 副制御部
４２ メインリレー回路
４３ タイマー手段、タイマー回路
２３１ 復帰スイッチ、運転指示スイッチ
【図１】
0003791251.tif 000002
【図２】
0003791251.tif 000003